(57)【要約】【課題】インホイールモータでは、電動機と歯車機構とを内包するモータハウジング内に装填された歯車機構のための潤滑用オイルがハブ軸受を経て外部へ漏洩する虞れがある。そのようなオイル漏洩を監視する構造を提供する。【解決手段】モータハウジング内よりハブ軸受のインナーレースとアウターレースの間の空隙へ通じるモータハウジング内オイルの漏洩可能通路を可撓性のオイルシールにて塞ぐと共に、車軸の端部に透視可能な板により塞がれたオイル溜を設け、更にハブ軸受のインナーレースを貫通して前記漏洩可能通路の前記オイルシールよりオイル漏洩方向に沿った上流側を前記オイル溜に連通させるオイル漏れ通路を設ける。【選択図】図１
2018065470.tif 000002
【特許請求の範囲】
【請求項１】
インホイールモータの電動機と歯車機構とを内包するモータハウジング内よりハブ軸受のインナーレースとアウターレースの間の空隙へ通じるモータハウジング内オイルの漏洩可能通路を可撓性のオイルシールにて塞ぐと共に、車軸の端部に透視可能な板により塞がれたオイル溜を設け、更に前記ハブ軸受のインナーレースを貫通して前記漏洩可能通路の前記オイルシールよりオイル漏洩方向に沿った上流側を前記オイル溜に連通させるオイル漏れ通路を設けたことを特徴とするインホイールモータのオイル漏れ監視構造。
【発明の詳細な説明】
【技術分野】
【０００１】
本発明は、インホイールモータにオイル漏れが生じたときには外部からそれを容易に知ることができるようにするインホイールモータのオイル漏れ監視構造に係る。
【背景技術】
【０００２】
車輪のハブ内に電動機を組み込むことにより車輪駆動系のコンパクト化を図ったインホイールモータと称される車両用駆動構造が知られている。インホイールモータでは、ハブは、ハブ軸受を介してホイールを回転式に支持する構造に加えて、電動機とその出力回転を減速しつつ伝動する歯車機構とを内装している。この場合、電動機と歯車機構は、例えば下記の特許文献１に記載されている如く、内部に歯車機構のための潤滑用オイルを保持することができるモータハウジングにより内包されているが、歯車機構の出力軸は車軸となってハブ軸受を介してハブ外へ延在しているので、電動機と歯車機構とを内包するモータハウジングは、完全に閉じたハウジングとはならず、ハブ軸受の部分にて外部に開かれている。
【先行技術文献】
【特許文献】
【０００３】
【特許文献１】特開２０１０-１８４５５６号公報
【発明の概要】
【発明が解決しようとする課題】
【０００４】
インホイールモータでは、上記の如く電動機と歯車機構とを内包するモータハウジングは、完全に閉じたハウジングとはならず、ハブ軸受の部分にて外部に開かれているので、かかるモータハウジング内に装填された歯車機構のための潤滑用オイルがハブ軸受を経て外部へ漏洩する虞れがあり、それに気付かずにいると歯車機構の潤滑が不足し、インホイールモータに損傷を来たす虞れがある。
【０００５】
本発明は、インホイールモータにおける上記のオイル漏洩の問題に着目し、そのようなオイル漏洩が生じたときにはそれを外部から容易に知ることができるインホイールモータのオイル漏れ監視構造を提供することを課題としている。
【課題を解決するための手段】
【０００６】
上記の課題を解決すべく、本発明は、インホイールモータの電動機と歯車機構とを内包するモータハウジング内よりハブ軸受のインナーレースとアウターレースの間の空隙へ通じるモータハウジング内オイルの漏洩可能通路を可撓性のオイルシールにて塞ぐと共に、車軸の端部に透視可能な板により塞がれたオイル溜を設け、更に前記ハブ軸受のインナーレースを貫通して前記漏洩可能通路の前記オイルシールよりオイル漏洩方向に沿った上流側を前記オイル溜に連通させるオイル漏れ通路を設けたことを特徴とするインホイールモータのオイル漏れ監視構造を提案するものである。
【発明の効果】
【０００７】
上記の如く、インホイールモータにおいて、電動機と歯車機構とを内包するモータハウジング内よりハブ軸受のインナーレースとアウターレースの間の空隙へ通じるモータハウジング内オイルの漏洩可能通路を可撓性のオイルシールにて塞ぐと共に、車軸の端部に透視可能な板により塞がれたオイル溜を設け、更に前記ハブ軸受のインナーレースを貫通して前記漏洩可能通路の前記オイルシールよりオイル漏洩方向に沿った上流側を前記オイル溜に連通させるオイル漏れ通路を設けておけば、インホイールモータのハウジングと回転するハブおよび回転出力軸の間の相対的回転を前記可撓性のオイルシールにて許容しつつ電動機と歯車機構とを内包するモータハウジング内よりハブ軸受のインナーレースとアウターレースの間の空隙へ通じるモータハウジング内オイルの漏洩可能通路を堰き止め、もしモータハウジング内よりオイルが漏洩してきたときには、それを車軸の端部に透視可能な板により塞がれたオイル溜へ導き、かかるオイル溜にオイルが現れたことを透視可能な板を通して観察することによって、容易にモータハウジング内オイルの漏洩を知ることができる。
【図面の簡単な説明】
【０００８】
【図１】インホイールモータの一例を本発明に係るその要部の拡大示を伴って示す縦断面図である。
【発明を実施するための形態】
【０００９】
図において、１は電動機であり、２はそのロータ、３はそのステータ、４はその出力軸である。電動機１の出力軸４は、その一端部に設けられた小歯車５により、それと噛み合う大歯車６を駆動するようになっている。電動機１と小歯車５および大歯車６よりなる伝動および減速のための歯車機構とはモータハウジング７に内包されており、このモータハウジング７内に歯車機構の潤滑のためのオイルが保持されるようになっている。モータハウジング７はインホイールモータのハウジング８に組み付けられている。
【００１０】
大歯車６には車軸９が一体に連結されている。車軸９には、そのスプライン部１０と嵌り合うスプライン部１１を備えたハブ１２が装着されており、大歯車６と車軸９の一体物とそれに装着されたハブ１２とは、車軸９の根本部が軸受１３を介してモータハウジング７より支持され、またハブ１２がハブ軸受１４を介してインホイールモータのハウジング８により支持されることにより、インホイールモータのハウジング８に回転可能に組みつけられている。尚、ハブ軸受１４のインナーレース１５はハブ１２の一部となっており、ハブ軸受１４のアウターレース１６は図示の如き環状部材であり、インホイールモータのハウジング８に組み付けられている。
【００１１】
モータハウジング７内の室空間は、軸受１３のインナーレースとアウターレースの間の隙間、車軸９とそれを貫通させるモータハウジング７の孔１７の周壁の間の隙間、ハブ軸受１４のインナーレースとアウターレースの間の隙間を経て外部に解放されているので、モータハウジング７内に保持された歯車機構のための潤滑オイルは、これらの隙間を通って外部へ漏出する虞れがあり、もしそのようなオイルの漏洩が気付かれずにいると、歯車機構の滑らかな噛合いに不調を来たす虞れがある。
【００１２】
そこで、本発明によれば、上記の隙間を連ねたモータハウジング７内よりハブ軸受１４のインナーレースとアウターレースの間の空隙へ通じるモータハウジング内オイルの漏洩可能通路を可撓性のオイルシール１８にて塞ぐと共に、車軸９の端部に透視可能な板１９により塞がれたオイル溜２０を設け、更に図示の実施例ではハブ１２と一体に形成されているハブ軸受１４のインナーレースを貫通して前記漏洩可能通路のオイルシール１８よりオイル漏洩方向に沿った上流側をオイル溜２０に連通させるオイル漏れ通路２１が設けられている。可撓性オイルシール１８は、図示の実施例では、モータハウジング７の車軸９を貫通させる孔１７に嵌挿され、車軸９の外周面の一部とハブ１２の内端部とに摺接する環状のリップ部材として構成されている。またオイル漏れ通路２１は、前記漏洩可能通路に開くその内端よりオイル溜２０に開くその外端へ向けて車軸９の中心線より遠ざかる傾斜を付されており、その内端にオイルが流れてきたときには、それに車軸９の回転に伴う遠心吸引作用を及ぼし、漏洩オイルを速やかにオイル溜２０へ到達させるようになっている。
【００１３】
かくして、モータハウジング７内の装填された歯車機構のための潤滑用オイルにハブ軸受１４のインナーレースとアウターレース間の隙間を通る漏洩が生じようとすると、そのことがいち早くオイル溜２０にオイルが現れることによって透視可能な板１９を経て観察され、監視される。
【００１４】
以上に於いては本発明を一つの実施例について詳細に説明したが、かかる実施例について本発明の範囲内にて種々の変更が可能であることは当業者にとって明らかであろう。
【符号の説明】
【００１５】
１…電動機、２…ロータ、３…ステータ、４…出力軸、５…小歯車、６…大歯車、７…モータハウジング、８…インホイールモータのハウジング、９…車軸、１０…車軸のスプライン部、１１…ハブのスプライン部、１２…ハブ、１３…軸受、１４…ハブ軸受、１５…ハブ軸受１４のインナーレース、１６…ハブ軸受１４のアウターレース、１７…モータハウジング７の孔、１８…可撓性のオイルシール、１９…透視可能な板、２０…オイル溜、２１…オイル漏れ通路
【図１】
2018065470.tif 000003